(57)【要約】  【課題】  現在、ケーキの持ち帰り箱として多く使われている手提げ型ケーキ箱はケーキの収納取り出しが、真上からしか行えず不便である。対策として、横からの収納、取り出しが可能となるいくつかの試みがあるが、箱の構造が複雑となりコストアップや、組み立てが、ワンタッチで出来なくなるなどの問題があり、広く使われるに至っていない。  【解決手段】  四角い底板の四辺に連接する四角い壁板の、隣り合う壁板の側端辺どうしが、中央に折り筋をもつコーナー片で繋がっており、そのコーナー折り筋を箱内側に折り込み、一組の相対する壁板の上縁端に蓋が連接され、蓋の上縁端に取っ手が連接され、該取っ手の両端を、もう一組の相対する壁板の上縁端に連接する略三角形の支柱壁の中央にある差込口に差し込んで組み立てが終了するようにした。  【選択図】  図３
2005119715.tif 000002
【特許請求の範囲】
【請求項１】
四角い底板の四辺に連接する四角い壁板の、隣り合う壁板の側端辺どうしが、中央に折り筋を持つコーナー片で繋がっており、そのコーナー片折り筋を箱内側に向けて折り込み、一組の相対する壁板の上縁端に蓋が連接され、蓋の上縁端に取っ手が連接され、該取っ手の両端を、もう一組の相対する壁板の上縁端から連接される略三角状の支柱壁板中央にある差込口に差し込んで組み立てられる事を特徴とする、手提げ型紙製組み立て箱。
【請求項２】
どちらか片方の取っ手側壁板の両側端辺に連接するコーナー片で、該コーナー片中央の折り筋より該壁板側の面を該壁板に、箱製造時に固定してある事を特徴とする、請求項１の手提げ型紙製組み立て箱。
【発明の詳細な説明】
【技術分野】
【０００１】
本発明は、洋菓子ケーキの持ち帰り容器となる手提げ型紙製組み立て箱に関し、更に詳しくは、手提げ型紙製組み立て箱において、ケーキの収納、及び、取り出しを簡単にする技術に関するものである。
【背景技術】
【０００２】
洋菓子ケーキの持ち帰り箱としては、以前より、主として図７のような手提げ型紙製組み立て箱が使われてきた。
【０００３】
図７による手提げ型組み立て箱では、前面板５１、一対の側面板５２及び後面板５３が継代片５４を介して連接され、前面板５１及び後面板５３の下縁から連出した底板５５と両側面板５２の下縁から連出した底板５６とを一組ずつ貼り合わせ、対抗する底板５５同士を噛み合わせて底面が閉止される。
【０００４】
前面板及び後面板の上縁には、中央に手提げ穴を有し、両端にフックの付いた取っ手がある上蓋が連接され、両側面板５２の上縁から連接されている支柱壁板６２の中央の切れ込みに取っ手のフックを差し込み、組み立てを完了する。
【０００５】
しかし、このような従来の手提げ型紙製組み立て箱では、ケーキの収納、取り出し作業は箱の真上からしか行えず、開口部に上からケーキを入れ、底板の上に下ろして箱詰めしようとした時、ケーキの側面を保持せねばならず、箱詰めしようとするケーキ自体と箱、あるいは既に箱詰めされているケーキとの間に十分な隙間がないとき、箱や他のケーキと接触させ、ケーキの外観を損ねる事があった。又、ケーキを箱から取り出そうとする時も、同様に問題であった。更に、この図４に示す方式は底部が４枚の紙を噛み合わせて底になっているため、底面が平らでなく、ケーキを置いたときの安定感がないのも問題で、お店によっては、箱組み立て後、台紙敷いてからケーキを収納したりして対策している所もある。そこで、これまでも、この問題を解決すべく下記のような様々な案が提案されてきた。
【０００６】
手提げ型紙製組み立て箱のケーキの収納、取り出しを簡単にするため、今までも、箱の片側が開いた状態でケーキを横から入れるタイプ（例えば、特許文献１、特許文献２）、箱全体が開くタイプ（例えば、特許文献３）などが知られている。
【特許文献１】実開平４−１１８３２１  第１図
【特許文献２】実開昭５０−９５３２６  第３図
【特許文献３】実全昭６１−１３２２２７  第３図
【発明の開示】
【発明が解決しようとする課題】
【０００７】
図７に示すような洋菓子ケーキ等に多く用いられる手提げ型紙製組み立て箱においては、ケーキの収納及び取り出しが真上からしか出来ないため、ケーキの収納、取り出しを楽にする目的で、上記特許文献に示すような対策案が考えられてきた。しかし、いずれの対策案にも問題があり、今日まで広く実施されるに至っていない。
【０００８】
特許文献１は、別部材の台紙の上にケーキを載せて箱の中へ出し入れする方法であり、台紙が無ければ成り立たない発明である。例え、台紙が無くても、図１に示される左右の扉状蓋は、紙面積を増やしており、台紙有りではさらに増える。又、当然、紙の必要面積は増えるし、台紙なしでは、図１の左右に開いている扉状蓋は箱内で固定されず、いずれにしても構造は複雑、コストは高くなるという問題ががある。
【０００９】
特許文献２は、ケーキ収納は確かに楽になっているが、収納後、蓋を閉じる前に、両折り込み壁６，７を閉じる必要がある。又、箱製造時、両サイド壁２，３は後壁４とは糊付け片８，９によって糊付けする作業が必要であり、更に箱を折り畳むために両サイド壁２，３及び取っ手を差し込む係止壁１２，１３に折り筋又はミシン目を入れなければならない。即ち、箱製造時は糊付け、組み立て時は折り込み壁の折り込み作業、そして組み立てた箱の両サイドには折り筋又はミシン目が走り、外観を低下させるという問題があった。
【００１０】
特許文献３は、箱製造時は抜き作業だけで済み、ケーキの収納、取り出しも全開状態からでも、片側組み立てて横からでも出来る。しかし、組み立てはジョイント部７ａ，７ｂ同士をそれぞれ連結する作業が必要であり、更に、そのジョイント部は前後壁の外側にくるため、外観を著しく損ねるという問題がある。
【００１１】
そこで本発明は、ケーキの収納、取り出しが簡便に出来、かつ、箱の製造も、組み立ても簡単で、組み立て後の外観も損なわない、手提げ型紙製組み立て箱を提供するものである。
【課題を解決するための手段】
【００１２】
本発明は上記課題を解決するために、四角い底板の四辺に連接する四角い壁板の、隣り合う壁板の側端辺どうしが、中央に折り筋を持つコーナー片で繋がっており、そのコーナー片折り筋を箱内側に向けて折り込み、一組の相対する壁板の上縁端に蓋が連接され、蓋の上縁端に取っ手が連接され、該取っ手の両端を、もう一組の相対する壁板の上縁端から連接される略三角状の支柱壁板中央にある差込口に差し込んで、手提げ箱を組み立てられるようにしたものである。
【００１３】
又、第２の課題解決手段は、上記手提げ型紙製組み立て箱の、どちらか片方の取っ手側壁板の両側端に延接するコーナー片で、該コーナー片中央の折り筋より該壁板側の面を該壁板に、該箱の製造時に固定してしまうものである。
【発明の効果】
【００１４】
上記第１の課題解決手段による作用は次の通りである。製造時は、１枚の紙を打ち抜くだけでよく、紙の使用量も手提げ箱の大きさに対して、全く無駄がなく、折り畳みも簡単で四角く折り畳める。使用時は両方の蓋を手に持ち、中央に蓋を寄せるだけで箱が起立する。片方の取っ手両端を支柱壁の差込に差せば、もう片方の取っ手側は開いており、ケーキを自由に出し入れ出来る。収納後、開いている取っ手の両端を支柱壁に差し込めば箱の組み立てが終了する。この間、箱の組み立てに特別な作業は一切必要としない。デコレーションケーキなど、収納の難しいものは、折り畳まれていた箱を一旦全開状態にして、ケーキを底板面に載せてから組み立てる事も出来る。即ち、本発明の第１の課題解決手段によれば、箱の全開状態からでも、片方のみからでもどちらの方法でも収納が簡単に行える。勿論、取り出し時もどちらの開け方も選べる。
【００１５】
以上、本発明による、上記第１の課題解決手段によれば、１枚の紙を打ち抜いただけで、折り畳めばよく、取っ手側の壁を立て、取っ手のフックを差し込むだけで、従来のどの手提げ型紙製組み立て箱にも劣らないしっかりとした箱が組みあがる。ケーキの収納、取り出しは簡単、便利で、箱の生産コストは同サイズ、なら、最も安く、箱の外側に、折り筋、ジョイントなど目障りなものはない、すっきりとした外観の箱が得られる。
【００１６】
上記第２の課題解決手段による作用は次の通りである。片方の取っ手側の壁板の両サイドに延接されているコーナー片の、直接該壁板と繋がっている面を壁板と接着固定する事で
、コーナー片を壁板と固定した側の箱半分の起立させる速度が速まり、コーナー片を固定していない側の壁は、開いており、ここよりケーキの収納、取り出しが行われる。
【００１７】
以上、第２の課題解決手段は、横一方からしか収納、取り出しが出来ないが、箱の組み立て易さからは、こちらの方がより簡単である。
【００１８】
以上、課題解決手段１，２ともに、組み立て時、一切の差込、ジョイントなどを用いず、又、外観的にも、どこの面にも折り筋、ミシン目など入らずに折り畳める仕様であり、箱の製造は簡単、コストは安くなる新規な手段である。
【発明を実施するための最良の形態】
【００１９】
以下、本発明の実施の形態を図１〜図６に基づいて説明する。図１は、本発明による課題解決手段１及び２に共通する展開図である。底板１の四辺に壁板２，３が延接され、壁板と壁板はコーナー片７，８，９，10で繋がっている。壁板３には支柱壁板６が延接され、そこには取っ手５の両端を差し込む差込穴ｃがある。壁板２には蓋４が連接され、蓋には取っ手５が連接されている。又取っ手５には、指を入れる切れ込みｄがある。イ、ロ、ハ、ニ、ホ、ヘ、トは折り筋である。
【００２０】
図２は折り畳み図である。折り筋ホに沿って左右壁板３、コーナー片７，８、９，10を底板１、前後壁板２の上に折り畳み、次に折り筋トに沿って蓋４をその上に折り畳んだ状態である。課題解決手段２では、この折り畳む前に、コーナー片８の面にボンド系接着剤を塗ってから折り畳む事で、コーナー片８を壁板２に接着させる。箱の製造工程は課題解決手段１、２ともにこれで終了である。その後のケーキの収納、組み立ては既に述べたとおりであるが、箱の組み立て時、ワンタッチで箱が起立する事をより確実にするには、折り畳み時の折り筋ホを他の折り筋より強く、しっかりと入れておくと良い。
【図面の簡単な説明】
【００２１】
【図１】解決手段１，２共通の展開図
【図２】解決手段１，２共通の折り畳み平面図
【図３】解決手段１で、両方の蓋を中央に寄せた時の斜視図
【図４】解決手段２で、コーナー貼りをした側の壁を立ち上げた時の斜視図
【図５】解決手段１，２共通で、片側取っ手両端を支柱壁に差し込んだ時の斜視図
【図６】解決手段１，２共通で、組み立て終了時の斜視図
【図７】現在の代表的なケーキ用手提げ型紙製組み立て箱斜視図
【符号の説明】
【００２２】
１  底板
２、３  側壁板
４  蓋
５  取っ手
６  支柱壁板
７〜１０  コーナー片
ａ  フック切れ込み
ｂ  取っ手差込口
ｃ  取っ手の指差込用切れ込み
イ〜チ  折り筋
【図１】
2005119715.tif 000003
【図２】
2005119715.tif 000004
【図３】
2005119715.tif 000005
【図４】
2005119715.tif 000006
【図５】
2005119715.tif 000007
【図６】
2005119715.tif 000008
【図７】
2005119715.tif 000009